(57)【要約】    【課題】  気泡含有グラウトの打設の作業性を向上させつつ、流出されている気泡含有グラウトの勢いを抑制する気泡含有グラウトの打設装置を提供することを一の課題とする。    【解決手段】  気泡含有グラウトが流入される流入開口部を有する流入部と、該流入された気泡含有グラウトが流出される流出開口部を有する流出部とを含む打設手段を備えてなる気泡含有グラウトの打設装置であって、  前記流出部が前記流出開口部を複数有してなり、流出開口部の断面積の合計が流入開口部の断面積よりも大きくなるように前記流出開口部が形成されてなることを特徴とする気泡含有グラウトの打設装置を提供することにある。【選択図】  図２
2010007345.tif 000002
【特許請求の範囲】
【請求項１】
気泡含有グラウトが流入される流入開口部を有する流入部と、該流入された気泡含有グラウトが流出される流出開口部を有する流出部とを含む打設手段を備えてなる気泡含有グラウトの打設装置であって、
前記流出部が前記流出開口部を複数有してなり、流出開口部の断面積の合計が流入開口部の断面積よりも大きくなるように前記流出開口部が形成されてなることを特徴とする気泡含有グラウトの打設装置。
【請求項２】
流出開口部から気泡含有グラウトが流出される流出方向の軸どうしが、各流出開口部の流出方向に対して該流出開口部よりも後方で交わるように、前記流出部が形成されてなることを特徴とする請求項１記載の気泡含有グラウトの打設装置。
【請求項３】
前記流出方向の軸どうしのなす角の角度が３０〜９０度であることを特徴とする請求項２記載の気泡含有グラウトの打設装置。
【請求項４】
前記流出部が、流出方向を変更することができるフレキシブルホースを備えてなることを特徴とする請求項１〜３のいずれかに記載の気泡含有グラウトの打設装置。
【請求項５】
前記打設手段が設置される設置部を高さ方向に複数有する架台が設けられてなることを特徴とする請求項１〜４のいずれかに記載の気泡含有グラウトの打設装置。
【請求項６】
請求項１〜５のいずれかに記載の気泡含有グラウトの打設装置を用いて気泡含有グラウトを打設することを特徴とする気泡含有グラウトの打設方法。
【発明の詳細な説明】
【技術分野】
【０００１】
本発明は、気泡を有しているグラウトたる気泡含有グラウトを打設する、気泡含有グラウトの打設装置、及び気泡含有グラウトの打設方法に関する。
【背景技術】
【０００２】
気泡含有グラウトとは、グラウトと、起泡剤で形成した気泡の集合体たる気泡体とが混合されたグラウトのことであり、気泡含有グラウトとしては、例えば、セメントミルクと気泡体とが混合されたエアミルクや、セメントモルタルと気泡体とが混合されたエアモルタル等が挙げられる。
【０００３】
斯かる気泡含有グラウトは、微細な気泡を有していることから軽量であるため、例えば、気泡含有グラウトが、垂直壁を持つ道路盛土材として用いられた場合、気泡含有グラウトの打設時における型枠材へかかる圧力が小さいため型枠の崩壊が生じ難くなるという利点がある。このような利点から、気泡含有グラウトは、道路盛土材としてだけでなく、例えば、橋の背面部の裏込め材、トンネル背面空洞部の充填材等としても用いられている。
【０００４】
従来、グラウトを打設する方法としては、シュート等を介してグラウトを直接流し込む直接投入方式と、ホース等の移送管を介してポンプで移送するポンプ移送方式とが用いられている。
【０００５】
気泡含有グラウトの打設の際は、打設された気泡含有グラウトが硬化して形成される気泡混合軽量土の単位体積当たりの重量が大きくならないようにすべく、該気泡混合軽量土が形成されるまで気泡含有グラウトに含まれる微細な気泡が減少しないように、気泡含有グラウトを打設することが重要である。直接投入方式を用いて気泡含有グラウトを打設した場合、ポンプ移送方式に比して、気泡含有グラウトが打設面に強く打ちつけられて、気泡含有グラウトの気泡が減少してしまうため、気泡含有グラウトの打設には、通常、ポンプ移送方式が用いられている（非特許文献１）。
【０００６】
【非特許文献１】日本道路公団、土工施工管理要領  −気泡混合軽量土工編（案）−、平成１７年４月、ｐ．５４−５６
【発明の開示】
【発明が解決しようとする課題】
【０００７】
しかしながら、従来のポンプ移送方式を用いた場合でも、流出されている気泡含有グラウトの勢いによって、気泡含有グラウトの気泡が減少してしまう虞がある。
【０００８】
ポンプ移送方式で気泡含有グラウトを打設する際に用いられる移送管としては、打設中に移送管の重量が重くなりすぎて作業者が移送管を取り回しすることが困難とならないようにするという観点や、把持のしやすさの観点から、移送管の径があまり大きなものを用いることができず、通常、この径が３５〜５０ｍｍ程度のものが用いられている。
一方で、斯かる移送管から流出される気泡含有グラウトの量は、気泡含有グラウトを製造するプラントの製造能力や、ポンプの移送能力等にもよるが、通常、３００〜１０００Ｌ／分程度である。
【０００９】
例えば、径が５０ｍｍ程度の移送管を用いて気泡含有グラウトを８００Ｌ／分で流出させた場合、気泡含有グラウトが移送管の先端から約１０ｍ飛ぶほどの勢いが、流出されている気泡含有グラウトに生じる。このように流出されている気泡含有グラウトの勢いによって、流出された気泡含有グラウトの気泡が消泡して減少してしまうという虞がある。
また、この勢いによって、既に打設された気泡含有グラウト中に乱流が生じ、この打設され固まっていない気泡含有グラウト中の気泡も減少してしまうという虞もある。さらに、この勢いによって、気泡どうしが結合して気泡の微細性が保持されず、また、この気泡がグラウトの他の材料から分離してしまうため、形成される気泡混合軽量土の物性である単位体積重量及び圧縮強度が不均一になってしまうという虞もある。
【００１０】
また、従来のポンプ移送方式では、この勢いによって移送管が暴れてしまう虞があるため、打設作業者は、打設作業中に移送管をしっかりと把持する必要があり、打設作業者の体力が消耗されてしまう虞がある。
【００１１】
さらに、従来のポンプ移送方式では、この勢いによって、例えば、簡易型枠材や型枠兼用壁面材等の型枠材に余計な圧力がかかってしまい、型枠材の変形や崩壊により気泡含有グラウトが漏出してしまう虞や、型枠材の目地のシール材が気泡含有グラウトに押し退けられて、この目地から気泡含有グラウトが漏出してしまう虞もある。
【００１２】
このような問題を解消すべく、従来のポンプ移送方式において、移送管の径が大きいものを用いることが考えられるが、上述したように、打設中に移送管の重量が重くなりすぎて作業者が移送管を取り回しすることが困難とならないようにするという観点や、把持のしやすさの観点から、移送管の径が大きいものを用いることは難しい。
【００１３】
本発明は、上記問題点に鑑み、気泡含有グラウトの打設の作業性を向上させつつ、流出されている気泡含有グラウトの勢いを抑制する気泡含有グラウトの打設装置を提供することを一の課題とする。また、本発明は、気泡含有グラウトの打設の作業性を向上させつつ、流出されている気泡含有グラウトの勢いを抑制する気泡含有グラウトの打設方法を提供することを他の課題とする。
【課題を解決するための手段】
【００１４】
本発明は、気泡含有グラウトが流入される流入開口部を有する流入部と、該流入された気泡含有グラウトが流出される流出開口部を有する流出部とを含む打設手段を備えてなる気泡含有グラウトの打設装置であって、
前記流出部が前記流出開口部を複数有してなり、流出開口部の断面積が流入開口部の断面積よりも大きくなるように前記流出開口部が形成されてなることを特徴とする気泡含有グラウトの打設装置にある。
【００１５】
斯かる気泡含有グラウトの打設装置によれば、前記流出部が前記流出開口部を複数有してなり、流出開口部の断面積が流入開口部の断面積よりも大きくなるように前記流出開口部が形成されてなることにより、前記流出開口部の単位断面積当たり、単位時間当たりの流出されている気泡含有グラウトの量が、前記流入開口部の単位断面積当たり、単位時間当たりの流入されている気泡含有グラウトの量よりも少なくなるため、流出されている気泡含有グラウトの勢いを抑制することができる。
【００１６】
そして、この勢いを抑制することにより、斯かる気泡含有グラウトの打設装置によれば、流出されている気泡含有グラウトの気泡の減少を抑制することができる。
また、この勢いを抑制することにより、既に打設されたグラウト中に乱流が生じ難くなり、この打設されたグラウト中の気泡の減少も抑制することができる。
さらに、この勢いを抑制することにより、気泡の微細性が保持されやすく、また、この気泡がグラウトの他の材料から分離し難くなるため、気泡混合軽量土の物性である単位体積重量及び圧縮強度が均一となるように形成することができる。
また、この勢いを抑制することにより、簡易型枠材や型枠兼用壁面材等の型枠材にかかり得る圧力を抑制することができ、型枠材の変形や崩壊から気泡含有グラウトが漏出し難くなる。
さらに、この勢いを抑制することにより、型枠材の目地のシール材が気泡含有グラウトに押し退けられ難くなり、この目地から気泡含有グラウトが漏出され難くなる。
また、この勢いを抑制することにより、この勢いによる流出部への反作用も抑制されるため、打設の作業性が向上する。
【００１７】
尚、本発明における流出開口部の断面積とは、各流出開口部から気泡含有グラウトが流出される方向に対して垂直な面における該各流出開口部の断面積の全流出開口部における合計の断面積のことをいう。
また、本発明における流入開口部の断面積とは、流入開口部に気泡含有グラウトが流入される方向に垂直な面における該流入開口部の断面積のことをいう。
【００１８】
また、本発明に係る気泡含有グラウトの打設装置は、好ましくは、流出開口部から気泡含有グラウトが流出される流出方向の軸どうしが、各流出開口部の流出方向に対して該流出開口部よりも後方で交わるように、前記流出部が形成されてなる。また、本発明に係る気泡含有グラウトの打設装置は、より好ましくは、前記流出方向の軸どうしのなす角の角度が３０〜９０度である。
【００１９】
斯かる気泡含有グラウトの打設装置によれば、流出開口部から気泡含有グラウトが流出される流出方向の軸どうしが、各流出開口部の流出方向に対して該流出開口部よりも後方で交わるように、前記流出部が形成されてなることにより、各流出開口部から流出されている気泡含有グラウトどうしが接触しないため、該流出されているグラウトの気泡の減少を抑制することができるという利点がある。
また、各流出開口部から流出される気泡含有グラウトによる打設手段にかかる反作用どうしが互いに弱めあうため、打設手段が暴れるのを抑制することができ、その結果、打設作業者が打設手段を把持して打設する場合、打設作業者が打設手段を把持しやすくなり、打設作業者の体力が消耗され難くなるという利点もあり、また、打設作業者が打設手段を把持することなく打設することも可能となり得るという利点もある。
さらに、流出方向が複数存在するので、気泡含有グラウトが施工場所に均一に流し込まれるようにするために打設作業者が流出方向を変える手間を軽減できるという利点もある。
【００２０】
さらに、本発明に係る気泡含有グラウトの打設装置は、好ましくは、前記流出部が、流出方向を変更することができるフレキシブルホースを備えてなる。
【００２１】
斯かる気泡含有グラウトの打設装置によれば、前記流出部が、流出方向を変更することができるフレキシブルホースを備えてなることにより、流出されている気泡含有グラウトの勢いを抑制する方向に打設作業者が流出方向を変更しやすくなるという利点がある。
【００２２】
また、本発明に係る気泡含有グラウトの打設装置は、好ましくは、前記打設手段が設置される設置部を高さ方向に複数有する架台が設けられてなる。
【００２３】
斯かる気泡含有グラウトの打設装置によれば、前記打設手段が設置される設置部を高さ方向に複数有する架台が設けられてなることにより、打設作業者が打設手段を常時把持することなく、打設面からの流出開口部の高さを気泡含有グラウトがより一層減少され難い高さに調整して気泡含有グラウトを打設することができるという利点がある。
【００２４】
さらに、本発明は、前記気泡含有グラウトの打設装置を用いて気泡含有グラウトを打設することを特徴とする気泡含有グラウトの打設方法にある。
【発明の効果】
【００２５】
このように、本発明に係る気泡含有グラウトの打設装置、及び気泡含有グラウトの打設方法によれば、気泡含有グラウトの打設の作業性を向上させつつ、流出されている気泡含有グラウトの勢いを抑制することができる。
【発明を実施するための最良の形態】
【００２６】
以下、添付図面を参照しつつ、本発明の一実施形態について説明する。
【００２７】
まず、本実施形態に係る気泡含有グラウトの打設装置について説明する。
図１に示すように、本実施形態に係る気泡含有グラウトの打設装置１は、気泡含有グラウトを打設する打設手段１０と、該打設手段に気泡含有グラウトを移送する気泡含有グラウト移送手段７０とを備えてなる。
【００２８】
打設手段１０は、図２に示すように、気泡含有グラウトが流入される流入部２０と、該流入された気泡含有グラウトが流出される流出部３０とを備えてなる。
【００２９】
流入部２０は、管状に形成され、気泡含有グラウトが流入される流入開口部２１を備え、流入開口部２１に流入された気泡含有グラウトが流入部２０から流出部３０へ流されるように構成されてなる。
流入部２０には、気泡含有グラウトが流入開口部２１から流入されるべく、流入部２０と気泡含有グラウトを移送する気泡含有グラウト移送手段とが接続されるように、接続部（図示せず）が設けられてなる。
【００３０】
流出部３０は、流入部２０を流された気泡含有グラウトが流される本流部３５、及び本流部３５を流された気泡含有グラウトが二手に分かれて流される第一分流部３１及び第二分流部３２を備えてなり、本流部３５、第一分流部３１、及び第二分流部３２は、管状に形成されてなる。
【００３１】
第一分流部３１及び第二分流部３２は、それぞれ第一流出開口部３３、第二流出開口部３４を備え、流出部３０は、第一分流部３１、第二分流部３２を流された気泡含有グラウトが、それぞれ第一流出開口部３３、第二流出開口部３４から流出されるように構成されてなる。
【００３２】
第一分流部３１及び第二分流部３２は、第一流出開口部３３から気泡含有グラウトが流出される第一流出方向Ｄ３３の軸と、第二流出開口部３４から気泡含有グラウトが流出される第二流出方向Ｄ３４の軸とが、第一流出方向Ｄ３３に対して第一流出開口部３３よりも後方、且つ第二流出方向Ｄ３４に対して第二流出開口部３４よりも後方で交わるように形成されてなる。
【００３３】
また、第一分流部３１及び第二分流部３２は、第一流出開口部３３の軸と、第二流出開口部３４の軸とのなす角の角度が３０〜９０度となるように形成され、好ましくは、この角度が３０〜６０度となるように形成されてなる。
【００３４】
さらに、第一分流部３１及び第二分流部３２は、第一流出方向Ｄ３３の軸と流入方向Ｄ２０の軸とのなす角が、第二流出方向Ｄ３４の軸と流入方向Ｄ２０の軸とのなす角と略等しく、且つ第一流出方向Ｄ３３の軸、第二流出方向Ｄ３４の軸、及び流入方向Ｄ２０の軸が同一平面上に存在するように形成されてなる。
【００３５】
本実施形態に係る気泡含有グラウトの打設装置は、前記流出部３０が、流出方向を変更することができるフレキシブルホースを備えてなり、具体的には、第一分流部３１及び第二分流部が流出方向を変更することができるフレキシブルホースを備えてなる。
【００３６】
第一流出開口部３３及び第二流出開口部３４は、第一流出開口部３３の断面積と、第二流出開口部３４の断面積とが略等しくなるように形成されてなる。
【００３７】
また、第一流出開口部３３及び第二流出開口部３４は、第一流出開口部３３の断面積と第二流出開口部３４の断面積との合計が流入開口部２１の断面積よりも大きくなるように形成されてなる。
【００３８】
流入開口部２１の断面積に対する、第一流出開口部３３の断面積及び第二流出開口部３４の断面積との合計の比は、流入開口部２１の面積にもよるが、好ましくは、１．２〜２．０であり、より好ましくは、１．５〜２．０である。
【００３９】
打設手段は、流入部３０に流れる直前の気泡含有グラウトが流入部２０を流される流入方向Ｄ２０の軸に対して線対称となるように形成され、打設手段の形状としては、特に限定されるものではないが、例えば、Ｙ字管が例示される。
【００４０】
流入部、本流部、分流部の材質は、本発明の効果が損なわれない範囲内であれば、特に限定されるものではないが、例えば、合成樹脂、ゴム、金属等が例示される。流入部、本流部、分流部がそれぞれ異なる材質から形成されてもよい。
【００４１】
本実施形態に係る気泡含有グラウトの打設装置は、前記打設手段が設置される設置部を高さ方向に複数有する架台が設けられてなる。
【００４２】
設置部の高さ方向の間隔は、本発明の効果が損なわれない範囲内であれば、特に限定されるものではないが、例えば、２０〜５０ｃｍが例示される。この間隔は、好ましくは２０ｃｍ〜３０ｃｍである。
【００４３】
本実施形態に係る気泡含有グラウトの打設装置が使用する気泡含有グラウトとしては、グラウトと、気泡剤で形成した気泡の集合体たる気泡体とを混合したものを採用することができる。
【００４４】
グラウトを製造するための材料としては、グラウトがセメントミルクの場合、セメント、水等が挙げられ、また、グラウトがセメントモルタルの場合、セメント、細骨材、水等が用いられる。また、必要に応じて、混和剤も用いられる。
【００４５】
前記セメントは、本発明の効果が損なわれない範囲内であれば、特に限定されるものはなく、例えば、ポルトランドセメント、アルミナセメント、高炉セメント、フライアッシュセメント、シリカセメント、アルミナセメント等を１種単独又は２種以上混合したものを採用することができる。
【００４６】
前記細骨材は、本発明の効果が損なわれない範囲内であれば、特に限定されるものはなく、例えば、川砂、山砂、陸砂、砕砂、海砂、珪砂等を１種単独又は２種以上混合したものを採用することができる。
【００４７】
前記混和剤は、本発明の効果が損なわれない範囲内であれば、特に限定されるものはなく、例えば、減水剤、高性能減水剤、流動剤、防錆剤、防水剤、収縮低減剤、水和熱抑制剤等を１種単独又は２種以上混合したものを採用することができる。
【００４８】
気泡体を製造する材料としては、起泡液と空気とが用いられる。
起泡液としては、起泡剤を適宜水で希釈したものを採用することができる。
起泡剤としては、例えば、界面活性剤、動物性たんぱく質、樹脂石けん、及び金属アルミニウム粉末等を１種単独又は２種以上混合したものを採用することができる。
【００４９】
次に、本発明に係る気泡含有グラウトの打設装置で用いる気泡含有グラウトを製造する、気泡含有グラウトの製造装置について説明する。
気泡含有グラウト製造装置は、図１に示すように、グラウトを製造するグラウト製造装置４０と、気泡体を製造する気泡体製造装置５０と、該グラウトと該気泡体とを混合し、気泡含有グラウトを製造する気泡含有グラウト混合装置６０とを備えてなる。
【００５０】
グラウト製造装置４０は、本実施形態に係る気泡含有グラウトの打設装置が使用する気泡含有グラウトの材料を貯蔵する貯蔵庫４２と、貯蔵庫４２から移送された、気泡含有グラウトの材料を撹拌しグラウトを製造するグラウトミキサー４１とを備え、グラウトミキサー４１で製造されたグラウトを気泡含有グラウト混合装置６０に移送するように構成されてなる。
【００５１】
貯蔵庫４２は、前記材料を貯蔵し、詳しくは、セメント、細骨材、水、混和剤をそれぞれ貯蔵するセメントサイロ４２ａ、細骨材サイロ４２ｂ、水タンク４２ｃ、混和剤タンク４２ｄを備えてなる。
尚、グラウトとしてセメントミルクを製造する場合、グラウト製造装置４０は、細骨材サイロ４２ｂがない構成であってもよい。
【００５２】
気泡体製造装置５０は、起泡液を貯蔵する起泡液タンク５１、圧縮空気を製造するコンプレッサー５２、及び起泡液タンク５１から移送された起泡液とコンプレッサー５２から移送された圧縮空気とを混合して気泡体を製造する気泡体混合装置５３を備え、気泡体混合装置５３で製造された気泡体を気泡含有グラウト混合装置６０に移送するように構成されてなる。
【００５３】
したがって、斯かる構成の気泡含有グラウトの製造装置を用いた気泡含有グラウトの製造方法は、グラウトを製造するグラウト混合工程と、気泡体製造装置５０を用いて気泡体を製造する気泡体混合工程と、グラウト混合工程で製造されたグラウト、及び気泡混合工程で製造された気泡を気泡混合グラウト混合装置６０で混合し気泡含有グラウトを製造する気泡含有グラウト混合工程とを備えてなる。
【００５４】
グラウト混合工程は、貯蔵庫４２に貯蔵された材料をグラウトミキサー４１に供給し、この材料をグラウトミキサー４１で混合してグラウトを製造して、該製造されたグラウトを気泡含有グラウト混合装置６０に移送する工程である。
【００５５】
気泡体混合工程は、起泡液タンク５１に貯蔵される起泡液を気泡体混合装置５３に移送し、コンプレッサー５２で製造された圧縮空気を気泡体混合装置５３に移送して、起泡液と圧縮空気とを気泡体混合装置５３で混合して気泡体を製造し、該気泡体を気泡含有グラウト混合装置６０に移送する工程である。
【００５６】
このようにして製造された気泡含有グラウトは、この気泡含有グラウトがエアミルクである場合、例えば、水／粉体重量比が０．８〜１．０であり、空気／グラウト体積比が０．５〜０．７であり、比重が０．５〜０．７であるものが例示される。
また、このようにして製造された気泡含有グラウトは、この気泡含有グラウトがエアモルタルである場合、例えば、セメント１００重量部に対して細骨材が１００〜５００重量部であり、水／粉体重量比が０．９〜１．８であり、空気／グラウト体積比が０．４〜０．７であり、比重が０．６〜１．２であるものが例示される。
【００５７】
次に、本実施形態に係る気泡含有グラウトの打設方法について説明する。
本実施形態に係る気泡含有グラウトの打設方法は、上記のような気泡含有グラウトの製造方法によって製造された気泡含有グラウトを打設する方法である。
【００５８】
本実施形態に係る気泡含有グラウトの打設方法は、前記気泡含有グラウト混合装置６０で製造された気泡含有グラウトを気泡含有グラウト移送手段７０を介して流入開口部２１に流入させ、そして、該流入開口部２１に流入された気泡含有グラウトを流入部２０から本流部３５へ流し、その後、該本流部３５に移送された気泡含有グラウトを第一分流部３１及び第二分流部３２に流し、そして、第一分流部３１及び第二分流部３２に移送された気泡含有グラウトを第一流出開口部３３及び第二流出開口部３４から流出させる方法である。
【００５９】
また、本実施形態に係る気泡含有グラウトの打設方法は、前記打設手段が設置される設置部を高さ方向に複数有する架台を設け、該打設手段を設置部に設置して気泡含有グラウトを打設する方法である。
打設手段を設置部に設置する際、本実施形態に係る気泡含有グラウトの打設方法は、打設面からの流出開口部の高さの範囲が、０ｃｍ〜５０ｃｍとなるように設置し、打設面の上昇に伴い打設手段を設置する打設部を変更する方法である。より好ましくは、本実施形態に係る気泡含有グラウトの打設方法は、この高さが５ｃｍ〜３０ｃｍとなるように設置する方法である。
【００６０】
本実施形態に係る気泡含有グラウトの打設装置、及び本実施形態に係る気泡含有グラウトの打設方法は、上記のように構成されているので、以下の利点を有するものである。
即ち、本実施形態は、第一流出方向Ｄ３３の軸と第二流出方向Ｄ３４の軸とが、第一流出方向Ｄ３３に対して第一流出開口部３３よりも後方、且つ第二流出方向Ｄ３４に対して第二流出開口部３４よりも後方で交わるように、第一分流部３１及び第二分流部３２が形成されてなることにより、第一流出開口部３３から流出されている気泡含有グラウトと、第二流出開口部３４から流出されている気泡含有グラウトとが接触しないため、該流出されているグラウトの気泡の減少をより一層抑制することができるという利点がある。
また、本実施形態は、第一流出開口部３３から流出されている気泡含有グラウトによる打設手段１０にかかる反作用と、第二流出開口部３４から流出されている気泡含有グラウトによる打設手段１０にかかる反作用とが互いに弱めあうため、打設手段１０が暴れるのを抑制することができ、その結果、その結果、打設作業者が打設手段を把持して打設する場合、打設作業者が打設手段を把持しやすくなり、打設作業者の体力が消耗され難くなるという利点もあり、また、打設作業者が打設手段を把持することなく打設することも可能となるという利点もある。
さらに、本実施形態は、第一流出方向Ｄ３３と、第二流出方向Ｄ３４とが異なるため、気泡含有グラウトを施工場所に均一に流し込もうとするのに第一流出方向Ｄ３３、及び第二流出方向Ｄ３４を変える手間を軽減することができるという利点もある。
【００６１】
また、本実施形態は、第一流出開口部３３の軸と、第二流出開口部３４の軸とのなす角の角度が３０度以上であることにより、第一流出開口部３３から流出されている気泡含有グラウトによる打設手段１０にかかる反作用と、第二流出開口部３４から流出されている気泡含有グラウトによる打設手段１０にかかる反作用とがより一層弱めあうという利点がある。また、本実施形態は、第一流出開口部３３の軸と、第二流出開口部３４の軸とのなす角の角度が９０度以下であることにより、打設作業者が気泡含有グラウトをかぶってしまう虞を抑制することができる。
【００６２】
さらに、本実施形態は、第一流出方向Ｄ３３の軸と流入方向Ｄ２０の軸とのなす角が、第二流出方向Ｄ３４の軸と流入方向Ｄ２０の軸とのなす角と略等しく、且つ第一流出方向Ｄ３３の軸、第二流出方向Ｄ３４の軸、及び流入方向Ｄ２０の軸が同一平面上に存在するように、第一分流部３１及び第二分流部３２が形成されてなり、また、第一流出開口部３３及び第二流出開口部３４が、第一流出開口部３３の断面積と第二流出開口部３４の断面積とが略等しくなるように形成されてなることにより、第一流出開口部３３から流出される気泡含有グラウトの量と、第二流出開口部３４から流出される気泡含有グラウトの量との間に偏りが生じ難くなるという利点がある。
【００６３】
また、本実施形態は、第一分流部３１及び第二分流部３２が、流出方向を変更することができるフレキシブルホースを備えてなることにより、流出されている気泡含有グラウトの勢いを抑制する方向に打設作業者が第一流出方向Ｄ３３、第二流出方向Ｄ３４を変更しやすくなるという利点がある。
【００６４】
さらに、本実施形態は、第一流出開口部３３の断面積と第二流出開口部３４の断面積との合計が流入開口部２１の断面積よりも大きくなるように、第一流出開口部３３及び第二流出開口部３４が形成されてことにより、流出開口部の単位断面積当たり、単位時間当たりにおける流出されている気泡含有グラウトの量が、前記流入開口部の単位断面積当たり、単位時間当たりにおける流入されている気泡含有グラウトの量よりも少なくなるため、流出されている気泡含有グラウトの勢いを抑制することができる。
そして、この勢いを抑制することにより、既に打設されたグラウト中に乱流が生じ難くなり、この打設されたグラウト中の気泡の減少も抑制することができる。
また、この勢いを抑制することにより、気泡の微細性が保持されやすく、また、この気泡がグラウトの他の材料から分離し難くなるため、気泡混合軽量土の物性である単位体積重量と圧縮強度が均一となるように形成することができる。
さらに、この勢いを抑制することにより、簡易型枠材や型枠兼用壁面材等の型枠材にかかり得る圧力を抑制することができ、型枠材の変形や崩壊から気泡含有グラウトが漏出され難くなる。
また、この勢いを抑制することにより、型枠材の目地のシール材が気泡含有グラウトに押し退けられ難くなり、この目地から気泡含有グラウトが漏出され難くなる。
さらに、この勢いを抑制することにより、この勢いによる流出部への反作用も抑制されるため、打設の作業性が向上する。
【００６５】
また、本実施形態は、流入開口部２１の断面積に対する、第一流出開口部３３の断面積及び第二流出開口部３４の断面積との合計の比が１．２以上であることにより、流出されている気泡含有グラウトの勢いをより一層抑制することができるという利点がある。また、この比が２．０以下であることにより、本実施形態は、打設作業者が打設手段を把持しやすく、打設作業者の体力を消耗し難くなるという利点がある。
【００６６】
さらに、本実施形態は、前記打設手段が設置される設置部を高さ方向に複数有する架台が設けられてなることにより、打設作業者が打設手段を常時把持することなく、打設面からの流出開口部の高さを気泡含有グラウトがより一層減少され難い高さに調整して気泡含有グラウトを打設することができるという利点がある。
【００６７】
尚、本実施形態の気泡含有グラウトの打設装置、及び気泡含有グラウトの打設方法は、上記構成により、上述の利点を有するものであったが、本発明の気泡含有グラウトの打設装置、及び気泡含有グラウトの打設方法は、上記構成に限定されず、適宜設計変更可能である。
【００６８】
例えば、本実施形態の気泡含有グラウトの打設装置は、第一流出方向Ｄ３３の軸と第二流出方向Ｄ３４の軸とが、第一流出方向Ｄ３３に対して第一流出開口部３３よりも後方、且つ第二流出方向Ｄ３４に対して前記第二流出開口部３４よりも後方で交わるように、第一分流部３１及び第二分流部３２が形成されてなるが、本発明の気泡含有グラウトの打設装置は、第一流出方向Ｄ３３の軸と第二流出方向Ｄ３４の軸とが交わらないように、第一分流部３１及び第二分流部３２が形成されてもよい。
【００６９】
また、本実施形態の気泡含有グラウトの打設装置は、第一流出開口部３３の軸と第二流出開口部３４の軸とのなす角の角度が３０〜９０度となるように第一分流部３１及び第二分流部３２が形成されてなるが、本発明の気泡含有グラウトの打設装置は、第一流出開口部３３の軸と第二流出開口部３４の軸とのなす角の角度が３０度よりも小さく若しくは９０度よりも大きくなるように第一分流部３１及び第二分流部３２が形成されてもよい。
【００７０】
さらに、本実施形態の気泡含有グラウトの打設装置は、第一流出方向Ｄ３３の軸と流入方向Ｄ２０の軸とのなす角が、第二流出方向Ｄ３４の軸と流入方向Ｄ２０の軸とのなす角と略等しくなるように、第一分流部３１及び第二分流部３２が形成されてなるが、本発明の気泡含有グラウトの打設装置は、第一流出方向Ｄ３３の軸と流入方向Ｄ２０の軸とのなす角が、第二流出方向Ｄ３４の軸と流入方向Ｄ２０の軸とのなす角と異なるように、第一分流部３１及び第二分流部３２が形成されてもよい。
【００７１】
また、本実施形態の気泡含有グラウトの打設装置は、第一流出方向Ｄ３３の軸、第二流出方向Ｄ３４の軸、及び流入方向Ｄ２０の軸が同一平面上に存在するように、第一分流部３１及び第二分流部３２が形成されてなるが、本発明の気泡含有グラウトの打設装置は、第一流出方向Ｄ３３の軸、第二流出方向Ｄ３４の軸、及び流入方向Ｄ２０の軸が同一平面上に存在しないように、第一分流部３１及び第二分流部３２が形成されてもよい。
【００７２】
さらに、本実施形態の気泡含有グラウトの打設装置は、第一分流部３１及び第二分流部が、流出方向を変更することができるフレキシブルホースを備えてなるが、本発明の気泡含有グラウトの打設装置は、第一分流部３１又は第二分流部３２のどちらか一方のみが該フレキシブルホースを備え、もう一方が、非可撓性の材質で形成されてもよい。斯かる構成を採用することにより、打設作業者が、非可撓性の材質を備える分流部をしっかりと把持しつつ、フレキシブルホースを備える分流部で、第一流出開口部３３の軸と第二流出開口部３４の軸とのなす角度を自在に変更できるという利点がある。
また、本発明の気泡含有グラウトの打設装置は、本発明の効果を損ねない範囲内であれば、第一分流部３１及び第二分流部３２が非可撓性の材質で形成されてもよい。
【００７３】
また、本実施形態の気泡含有グラウトの打設装置は、第一流出開口部３３の断面積と第二流出開口部３４の断面積とが略等しくなるように、第一流出開口部３３及び第二流出開口部３４が形成されてなるが、本発明の気泡含有グラウトの打設装置は、第一流出開口部３３の断面積と第二流出開口部３４の断面積とが異なるように、第一流出開口部３３及び第二流出開口部３４が形成されてもよい。
【００７４】
さらに、本実施形態の気泡含有グラウトの打設装置は、流出開口部を２つ備えてなるが、本発明の気泡含有グラウトの打設装置は、流出開口部を３つ以上備えてもよい。
【００７５】
また、本実施形態の気泡含有グラウトの打設装置は、流出開口部が開閉自在となるように各分流部に各流出開口部の開閉手段を備えてもよい。斯かる構成を採用することにより、打設作業者は、気泡含有グラウトを打設したい方向の流出開口部のみ開いて打設することができ、打設場所に気泡含有グラウトを均一に打設することができる。
【００７６】
さらに、本実施形態に係る気泡含有グラウトの打設装置は、前記打設手段が設置される設置部を高さ方向に複数有する架台が設けられてなるが、本発明に係る気泡含有グラウトの打設装置は、このような架台が設けられてなくてもよい。
本発明に係る気泡含有グラウトの打設装置に架台が設けられてない場合、本発明に係る気泡含有グラウトの打設方法では、打設作業者が打設手段を把持して気泡含有グラウトの打設を実施する。
【図面の簡単な説明】
【００７７】
【図１】一実施形態の気泡含有グラウトの打設装置、及び気泡含有グラウトの製造装置の模式図。
【図２】一実施形態の打設手段の斜視図。
【符号の説明】
【００７８】
１：打設手段、２０：流入部、２１：流入開口部、３０：流出部、３３：第一流出開口部、３４：第二流出開口部、Ｄ３３：第一流出方向、Ｄ３４：第二流出方向
【図１】
2010007345.tif 000003
【図２】
2010007345.tif 000004
【手続補正書】
【提出日】平成21年1月23日(2009.1.23)
【手続補正１】
【補正対象書類名】特許請求の範囲
【補正対象項目名】請求項１
【補正方法】変更
【補正の内容】
【請求項１】
気泡含有グラウトが流入される流入開口部を有する流入部と、該流入された気泡含有グラウトが流出される流出開口部を有する流出部とを含む打設手段を備えてなる気泡含有グラウトの打設装置であって、
前記気泡含有グラウトが該流出開口部から施工場所に直接流出するように形成され、
前記流出部が前記流出開口部を複数有してなり、流出開口部の断面積の合計が流入開口部の断面積よりも大きくなるように前記流出開口部が形成されてなることを特徴とする気泡含有グラウトの打設装置。
【手続補正２】
【補正対象書類名】明細書
【補正対象項目名】００１４
【補正方法】変更
【補正の内容】
【００１４】
本発明は、気泡含有グラウトが流入される流入開口部を有する流入部と、該流入された気泡含有グラウトが流出される流出開口部を有する流出部とを含む打設手段を備えてなる気泡含有グラウトの打設装置であって、
前記気泡含有グラウトが該流出開口部から施工場所に直接流出するように形成され、
前記流出部が前記流出開口部を複数有してなり、流出開口部の断面積が流入開口部の断面積よりも大きくなるように前記流出開口部が形成されてなることを特徴とする気泡含有グラウトの打設装置にある。
【手続補正書】
【提出日】平成21年8月12日(2009.8.12)
【手続補正１】
【補正対象書類名】特許請求の範囲
【補正対象項目名】全文
【補正方法】変更
【補正の内容】
【特許請求の範囲】
【請求項１】
気泡含有グラウトが流入される流入開口部を有する流入部と、該流入された気泡含有グラウトが流出される流出開口部を有する流出部とを含む打設手段を備えてなる気泡含有グラウトの打設装置であって、
前記気泡含有グラウトが該流出開口部から施工場所に直接流出するように形成され、
前記流出部が前記流出開口部を複数有してなり、流出開口部の断面積の合計が流入開口部の断面積よりも大きくなるように前記流出開口部が形成され、
前記打設手段が、各流出開口部から施工場所に直接流出される気泡含有グラウトによる打設手段にかかる反作用どうしが互いに弱めあうように構成されてなることを特徴とする気泡含有グラウトの打設装置。
【請求項２】
気泡含有グラウトが流入される流入開口部を有する流入部と、該流入された気泡含有グラウトが流出される流出開口部を有する流出部とを含む打設手段を備えてなる気泡含有グラウトの打設装置であって、
前記気泡含有グラウトが該流出開口部から施工場所に直接流出するように形成され、
前記流出部が前記流出開口部を複数有してなり、流出開口部の断面積の合計が流入開口部の断面積よりも大きくなるように前記流出開口部が形成され、
前記打設手段が、各流出開口部から施工場所に直接流出される気泡含有グラウトによる打設手段にかかる反作用どうしが互いに弱めあうことにより、打設手段が暴れるのを抑制することができ、その結果、打設作業者が打設手段を把持しやすくなり、打設作業者の体力が消耗され難くなるように構成されてなることを特徴とする気泡含有グラウトの打設装置。
【請求項３】
気泡含有グラウトが流入される流入開口部を有する流入部と、該流入された気泡含有グラウトが流出される流出開口部を有する流出部とを含むＹ字管たる打設手段を備えてなる気泡含有グラウトの打設装置であって、
前記気泡含有グラウトが該流出開口部から施工場所に直接流出するように形成され、
前記流出部が前記流出開口部を複数有してなり、流出開口部の断面積の合計が流入開口部の断面積よりも大きくなるように前記流出開口部が形成され、
前記Ｙ字管が、各流出開口部から施工場所に直接流出される気泡含有グラウトによるＹ字管にかかる反作用どうしが互いに弱めあうように構成されてなることを特徴とする気泡含有グラウトの打設装置。
【請求項４】
気泡含有グラウトが流入される流入開口部を有する流入部と、該流入された気泡含有グラウトが流出される流出開口部を有する流出部とを含む打設手段を備えてなる気泡含有グラウトの打設装置を用いて気泡含有グラウトを打設することを特徴とする気泡含有グラウトの打設方法であって、
前記気泡含有グラウトの打設装置は、前記気泡含有グラウトが該流出開口部から施工場所に直接流出するように形成され、
前記流出部が前記流出開口部を複数有してなり、流出開口部の断面積の合計が流入開口部の断面積よりも大きくなるように前記流出開口部が形成され、
各流出開口部から施工場所に直接流出される気泡含有グラウトによる打設手段にかかる反作用どうしが互いに弱めあうように構成されてなる前記打設手段を把持しながら気泡含有グラウトを打設することを特徴とする気泡含有グラウトの打設方法。
【請求項５】
気泡含有グラウトが流入される流入開口部を有する流入部と、該流入された気泡含有グラウトが流出される流出開口部を有する流出部とを含む打設手段を備えてなる気泡含有グラウトの打設装置を用いて気泡含有グラウトを打設することを特徴とする気泡含有グラウトの打設方法であって、
前記気泡含有グラウトの打設装置は、前記気泡含有グラウトが該流出開口部から施工場所に直接流出するように形成され、
前記流出部が前記流出開口部を複数有してなり、流出開口部の断面積の合計が流入開口部の断面積よりも大きくなるように前記流出開口部が形成され、
各流出開口部から施工場所に直接流出される気泡含有グラウトによる打設手段にかかる反作用どうしが互いに弱めあうことにより、打設手段が暴れるのを抑制することができ、その結果、打設作業者が打設手段を把持しやすくなり、打設作業者の体力が消耗され難くなるように構成されてなる前記打設手段を把持しながら気泡含有グラウトを打設することを特徴とする気泡含有グラウトの打設方法。
【請求項６】
気泡含有グラウトが流入される流入開口部を有する流入部と、該流入された気泡含有グラウトが流出される流出開口部を有する流出部とを含むＹ字管たる打設手段を備えてなる気泡含有グラウトの打設装置を用いて気泡含有グラウトを打設することを特徴とする気泡含有グラウトの打設方法であって、
前記気泡含有グラウトの打設装置は、前記気泡含有グラウトが該流出開口部から施工場所に直接流出するように形成され、
前記流出部が前記流出開口部を複数有してなり、流出開口部の断面積の合計が流入開口部の断面積よりも大きくなるように前記流出開口部が形成され、
各流出開口部から施工場所に直接流出される気泡含有グラウトによるＹ字管にかかる反作用どうしが互いに弱めあうように構成されてなる前記Ｙ字管を把持しながら気泡含有グラウトを打設することを特徴とする気泡含有グラウトの打設方法。
【手続補正２】
【補正対象書類名】明細書
【補正対象項目名】００１４
【補正方法】変更
【補正の内容】
【００１４】
本発明は、気泡含有グラウトが流入される流入開口部を有する流入部と、該流入された気泡含有グラウトが流出される流出開口部を有する流出部とを含む打設手段を備えてなる気泡含有グラウトの打設装置であって、
前記気泡含有グラウトが該流出開口部から施工場所に直接流出するように形成され、
前記流出部が前記流出開口部を複数有してなり、流出開口部の断面積の合計が流入開口部の断面積よりも大きくなるように前記流出開口部が形成され、
前記打設手段が、各流出開口部から施工場所に直接流出される気泡含有グラウトによる打設手段にかかる反作用どうしが互いに弱めあうように構成されてなることを特徴とする気泡含有グラウトの打設装置にある。
また、本発明は、気泡含有グラウトが流入される流入開口部を有する流入部と、該流入された気泡含有グラウトが流出される流出開口部を有する流出部とを含む打設手段を備えてなる気泡含有グラウトの打設装置であって、
前記気泡含有グラウトが該流出開口部から施工場所に直接流出するように形成され、
前記流出部が前記流出開口部を複数有してなり、流出開口部の断面積の合計が流入開口部の断面積よりも大きくなるように前記流出開口部が形成され、
前記打設手段が、各流出開口部から施工場所に直接流出される気泡含有グラウトによる打設手段にかかる反作用どうしが互いに弱めあうことにより、打設手段が暴れるのを抑制することができ、その結果、打設作業者が打設手段を把持しやすくなり、打設作業者の体力が消耗され難くなるように構成されてなることを特徴とする気泡含有グラウトの打設装置にある。
さらに、本発明は、気泡含有グラウトが流入される流入開口部を有する流入部と、該流入された気泡含有グラウトが流出される流出開口部を有する流出部とを含むＹ字管たる打設手段を備えてなる気泡含有グラウトの打設装置であって、
前記気泡含有グラウトが該流出開口部から施工場所に直接流出するように形成され、
前記流出部が前記流出開口部を複数有してなり、流出開口部の断面積の合計が流入開口部の断面積よりも大きくなるように前記流出開口部が形成され、
前記Ｙ字管が、各流出開口部から施工場所に直接流出される気泡含有グラウトによるＹ字管にかかる反作用どうしが互いに弱めあうように構成されてなることを特徴とする気泡含有グラウトの打設装置にある。
【手続補正３】
【補正対象書類名】明細書
【補正対象項目名】００２４
【補正方法】変更
【補正の内容】
【００２４】
さらに、本発明は、気泡含有グラウトが流入される流入開口部を有する流入部と、該流入された気泡含有グラウトが流出される流出開口部を有する流出部とを含む打設手段を備えてなる気泡含有グラウトの打設装置を用いて気泡含有グラウトを打設することを特徴とする気泡含有グラウトの打設方法であって、
前記気泡含有グラウトの打設装置は、前記気泡含有グラウトが該流出開口部から施工場所に直接流出するように形成され、
前記流出部が前記流出開口部を複数有してなり、流出開口部の断面積の合計が流入開口部の断面積よりも大きくなるように前記流出開口部が形成され、
各流出開口部から施工場所に直接流出される気泡含有グラウトによる打設手段にかかる反作用どうしが互いに弱めあうように構成されてなる前記打設手段を把持しながら気泡含有グラウトを打設することを特徴とする気泡含有グラウトの打設方法にある。
また、本発明は、気泡含有グラウトが流入される流入開口部を有する流入部と、該流入された気泡含有グラウトが流出される流出開口部を有する流出部とを含む打設手段を備えてなる気泡含有グラウトの打設装置を用いて気泡含有グラウトを打設することを特徴とする気泡含有グラウトの打設方法であって、
前記気泡含有グラウトの打設装置は、前記気泡含有グラウトが該流出開口部から施工場所に直接流出するように形成され、
前記流出部が前記流出開口部を複数有してなり、流出開口部の断面積の合計が流入開口部の断面積よりも大きくなるように前記流出開口部が形成され、
各流出開口部から施工場所に直接流出される気泡含有グラウトによる打設手段にかかる反作用どうしが互いに弱めあうことにより、打設手段が暴れるのを抑制することができ、その結果、打設作業者が打設手段を把持しやすくなり、打設作業者の体力が消耗され難くなるように構成されてなる前記打設手段を把持しながら気泡含有グラウトを打設することを特徴とする気泡含有グラウトの打設方法にある。
さらに、本発明は、気泡含有グラウトが流入される流入開口部を有する流入部と、該流入された気泡含有グラウトが流出される流出開口部を有する流出部とを含むＹ字管たる打設手段を備えてなる気泡含有グラウトの打設装置を用いて気泡含有グラウトを打設することを特徴とする気泡含有グラウトの打設方法であって、
前記気泡含有グラウトの打設装置は、前記気泡含有グラウトが該流出開口部から施工場所に直接流出するように形成され、
前記流出部が前記流出開口部を複数有してなり、流出開口部の断面積の合計が流入開口部の断面積よりも大きくなるように前記流出開口部が形成され、
各流出開口部から施工場所に直接流出される気泡含有グラウトによるＹ字管にかかる反作用どうしが互いに弱めあうように構成されてなる前記Ｙ字管を把持しながら気泡含有グラウトを打設することを特徴とする気泡含有グラウトの打設方法にある。